【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
ディジタルコンテンツを提供するシステムであって、
選択されたディジタルコンテンツの出力レイアウトを決定して前記ディジタルコンテンツを作成するコンテンツ作成手段と、前記コンテンツ作成手段で作成したディジタルコンテンツの出力形式をその提供の目的となる出力機器の出力形式に変換する出力形式変換手段と、前記出力形式変換手段で変換したディジタルコンテンツを提供するコンテンツ提供手段とを備え、
前記コンテンツ作成手段は、前記ディジタルコンテンツを構成する掲載情報を所定の領域区分でレイアウト領域に配置することにより出力レイアウトを決定するようになっていることを特徴とするディジタルコンテンツ提供システム。
【請求項２】
指定された配信先にディジタルコンテンツを配信するシステムであって、
前記ディジタルコンテンツを記憶するためのコンテンツ記憶手段と、前記コンテンツ記憶手段のなかから前記ディジタルコンテンツを選択するコンテンツ選択手段と、前記コンテンツ選択手段で選択したディジタルコンテンツの出力レイアウトを決定して前記ディジタルコンテンツを作成するコンテンツ作成手段と、前記コンテンツ作成手段で作成したディジタルコンテンツの出力形式を前記指定配信先となる出力機器の出力形式に変換する出力形式変換手段と、前記出力形式変換手段で変換したディジタルコンテンツを前記指定配信先となる出力機器に配信するコンテンツ配信手段とを備え、
前記コンテンツ作成手段は、前記ディジタルコンテンツを構成する掲載情報を所定の領域区分でレイアウト領域に配置することにより出力レイアウトを決定するようになっていることを特徴とするディジタルコンテンツ配信システム。
【請求項３】
指定された配信先にディジタルコンテンツを配信するシステムであって、
前記ディジタルコンテンツの選択を入力する入力手段と、前記入力手段で入力した選択に係るディジタルコンテンツを取得するコンテンツ取得手段と、前記コンテンツ取得手段で取得したディジタルコンテンツの出力レイアウトを決定して前記ディジタルコンテンツを作成するコンテンツ作成手段と、前記コンテンツ作成手段で作成したディジタルコンテンツの出力形式を前記指定配信先となる出力機器の出力形式に変換する出力形式変換手段と、前記出力形式変換手段で変換したディジタルコンテンツを前記指定配信先となる出力機器に配信するコンテンツ配信手段とを備え、
前記コンテンツ作成手段は、前記ディジタルコンテンツを構成する掲載情報を所定の領域区分でレイアウト領域に配置することにより出力レイアウトを決定するようになっていることを特徴とするディジタルコンテンツ配信システム。
【請求項４】
請求項２及び３のいずれかにおいて、
前記出力機器は、ファクシミリ受信機であり、
前記出力形式変換手段は、前記コンテンツ作成手段で作成したディジタルコンテンツの出力形式をファクシミリ受信可能な形式に変換するようになっていることを特徴とするディジタルコンテンツ配信システム。
【請求項５】
請求項４において、
前記出力形式変換手段は、前記指定配信先となるファクシミリ受信機がカラー出力及びモノクロ出力が可能なものであるときは、前記コンテンツ作成手段で作成したディジタルコンテンツを、ファクシミリ受信可能な形式であってカラー出力形式又はモノクロ出力形式に変換するようになっていることを特徴とするディジタルコンテンツ配信システム。
【請求項６】
請求項４及び５のいずれかにおいて、
前記出力形式変換手段は、前記指定配信先となるファクシミリ受信機がモノクロ出力のみ可能なものであるときは、前記コンテンツ作成手段で作成したディジタルコンテンツを、ファクシミリ受信可能な形式であってモノクロ出力形式に変換するようになっていることを特徴とするディジタルコンテンツ配信システム。
【請求項７】
請求項２及び３のいずれかにおいて、
前記出力機器は、ネットワークプリンタであり、
前記出力形式変換手段は、前記コンテンツ作成手段で作成したディジタルコンテンツの出力形式をネットワークプリンタ受信可能な形式に変換するようになっていることを特徴とするディジタルコンテンツ配信システム。
【請求項８】
請求項７において、
前記出力形式変換手段は、前記指定配信先となるネットワークプリンタがカラー出力及びモノクロ出力が可能なものであるときは、前記コンテンツ作成手段で作成したディジタルコンテンツを、ネットワークプリンタ受信可能な形式であってカラー出力形式又はモノクロ出力形式に変換するようになっていることを特徴とするディジタルコンテンツ配信システム。
【請求項９】
請求項７及び８のいずれかにおいて、
前記出力形式変換手段は、前記指定配信先となるネットワークプリンタがモノクロ出力のみ可能なものであるときは、前記コンテンツ作成手段で作成したディジタルコンテンツを、ネットワークプリンタ受信可能な形式であってモノクロ出力形式に変換するようになっていることを特徴とするディジタルコンテンツ配信システム。
【請求項１０】
請求項２乃至９のいずれかにおいて、
前記出力機器に関する出力機器情報を記憶するための出力機器情報記憶手段を備え、
前記出力形式変換手段は、前記出力機器情報記憶手段の出力機器情報に基づいて、前記コンテンツ作成手段で作成したディジタルコンテンツの出力形式を前記指定配信先となる出力機器の出力形式に変換するようになっていることを特徴とするディジタルコンテンツ配信システム。
【請求項１１】
請求項２乃至１０のいずれかにおいて、
前記ディジタルコンテンツの配信により生じる配信料金を課金する配信料金課金手段を備え、
前記配信料金課金手段は、前記配信料金の一部又は全部を、前記ディジタルコンテンツを提供するコンテンツ提供者に課金するようになっていることを特徴とするディジタルコンテンツ配信システム。
【請求項１２】
請求項２乃至１０のいずれかにおいて、
付加情報を記憶するための付加情報記憶手段と、前記ディジタルコンテンツの配信により生じる配信料金を課金する配信料金課金手段とを備え、
前記コンテンツ作成手段は、前記付加情報記憶手段の付加情報に基づいて前記付加情報を含むディジタルコンテンツを作成し、
前記配信料金課金手段は、前記配信料金の一部又は全部を、前記付加情報を提供する付加情報提供者に課金するようになっていることを特徴とするディジタルコンテンツ配信システム。
【請求項１３】
請求項２において、
ユーザに関するユーザ情報を記憶するためのユーザ情報記憶手段を備え、
前記コンテンツ選択手段は、前記ユーザ情報記憶手段のユーザ情報に基づいて、前記コンテンツ記憶手段のなかから前記ディジタルコンテンツを選択するようになっていることを特徴とするディジタルコンテンツ配信システム。
【請求項１４】
請求項２乃至１２のいずれかにおいて、
ユーザに関するユーザ情報を記憶するためのユーザ情報記憶手段を備え、
前記コンテンツ作成手段は、前記ユーザ情報記憶手段のユーザ情報に基づいて、前記ディジタルコンテンツの出力レイアウトを決定するようになっていることを特徴とするディジタルコンテンツ配信システム。
【請求項１５】
請求項２において、
前記出力機器に関する出力機器情報を記憶するための出力機器情報記憶手段を備え、
前記コンテンツ選択手段は、前記出力機器情報記憶手段の出力機器情報に基づいて、前記コンテンツ記憶手段のなかから前記ディジタルコンテンツを選択するようになっていることを特徴とするディジタルコンテンツ配信システム。
【請求項１６】
請求項２乃至９のいずれかにおいて、
前記出力機器に関する出力機器情報を記憶するための出力機器情報記憶手段を備え、
前記コンテンツ作成手段は、前記出力機器情報記憶手段の出力機器情報に基づいて、前記ディジタルコンテンツの出力レイアウトを決定するようになっていることを特徴とするディジタルコンテンツ配信システム。
【請求項１７】
ディジタルコンテンツを配信するコンテンツ配信端末と、出力機器とを通信可能に接続し、指定された配信先に前記ディジタルコンテンツを配信するシステムであって、
前記出力機器は、前記ディジタルコンテンツの選択を入力する入力手段と、前記ディジタルコンテンツを出力する出力手段とを有し、前記入力手段で入力したディジタルコンテンツの選択結果を前記コンテンツ配信端末に送信し、前記ディジタルコンテンツを受信したときは、受信したディジタルコンテンツを前記出力手段に出力するようになっており、
前記コンテンツ配信端末は、与えられたディジタルコンテンツの選択に係るディジタルコンテンツを取得するコンテンツ取得手段と、前記コンテンツ取得手段で取得したディジタルコンテンツの出力レイアウトを決定して前記ディジタルコンテンツを作成するコンテンツ作成手段と、前記コンテンツ作成手段で作成したディジタルコンテンツの出力形式を前記指定配信先となる出力機器の出力形式に変換する出力形式変換手段と、前記出力形式変換手段で変換したディジタルコンテンツを前記指定配信先となる出力機器に配信するコンテンツ配信手段とを有し、前記ディジタルコンテンツの選択結果を受信したときは、受信したディジタルコンテンツの選択結果を前記コンテンツ取得手段に与えるようになっており、
前記コンテンツ作成手段は、前記ディジタルコンテンツを構成する掲載情報を所定の領域区分でレイアウト領域に配置することにより出力レイアウトを決定するようになっていることを特徴とするディジタルコンテンツ配信システム。
【請求項１８】
請求項１７記載の出力機器と通信可能に接続する端末であって、
与えられたディジタルコンテンツの選択に係るディジタルコンテンツを取得するコンテンツ取得手段と、前記コンテンツ取得手段で取得したディジタルコンテンツの出力レイアウトを決定して前記ディジタルコンテンツを作成するコンテンツ作成手段と、前記コンテンツ作成手段で作成したディジタルコンテンツの出力形式を前記指定配信先となる出力機器の出力形式に変換する出力形式変換手段と、前記出力形式変換手段で変換したディジタルコンテンツを前記指定配信先となる出力機器に配信するコンテンツ配信手段とを備え、前記ディジタルコンテンツの選択結果を受信したときは、受信したディジタルコンテンツの選択結果を前記コンテンツ取得手段に与えるようになっており、
前記コンテンツ作成手段は、前記ディジタルコンテンツを構成する掲載情報を所定の領域区分でレイアウト領域に配置することにより出力レイアウトを決定するようになっていることを特徴とするコンテンツ配信端末。
【請求項１９】
請求項１７記載のコンテンツ配信端末と通信可能に接続する機器であって、
前記ディジタルコンテンツの選択を入力する入力手段と、前記ディジタルコンテンツを出力する出力手段とを備え、前記入力手段で入力したディジタルコンテンツの選択結果を前記コンテンツ配信端末に送信し、前記ディジタルコンテンツを受信したときは、受信したディジタルコンテンツを前記出力手段に出力するようになっていることを特徴とする出力機器。
【請求項２０】
ディジタルコンテンツを提供するプログラムであって、
選択されたディジタルコンテンツの出力レイアウトを決定して前記ディジタルコンテンツを作成するコンテンツ作成手段、前記コンテンツ作成手段で作成したディジタルコンテンツの出力形式をその提供の目的となる出力機器の出力形式に変換する出力形式変換手段、及び前記出力形式変換手段で変換したディジタルコンテンツを提供するコンテンツ提供手段として実現される処理をコンピュータに実行させるためのプログラムであり、
前記コンテンツ作成手段は、前記ディジタルコンテンツを構成する掲載情報を所定の領域区分でレイアウト領域に配置することにより出力レイアウトを決定するようになっていることを特徴とするディジタルコンテンツ提供プログラム。
【請求項２１】
指定された配信先にディジタルコンテンツを配信するプログラムであって、
前記ディジタルコンテンツを記憶するためのコンテンツ記憶手段を利用可能なコンピュータに対して、
前記コンテンツ記憶手段のなかから前記ディジタルコンテンツを選択するコンテンツ選択手段、前記コンテンツ選択手段で選択したディジタルコンテンツの出力レイアウトを決定して前記ディジタルコンテンツを作成するコンテンツ作成手段、前記コンテンツ作成手段で作成したディジタルコンテンツの出力形式を前記指定配信先となる出力機器の出力形式に変換する出力形式変換手段、及び前記出力形式変換手段で変換したディジタルコンテンツを前記指定配信先となる出力機器に配信するコンテンツ配信手段として実現される処理を実行させるためのプログラムであり、
前記コンテンツ作成手段は、前記ディジタルコンテンツを構成する掲載情報を所定の領域区分でレイアウト領域に配置することにより出力レイアウトを決定するようになっていることを特徴とするディジタルコンテンツ配信プログラム。
【請求項２２】
指定された配信先にディジタルコンテンツを配信するプログラムであって、
前記ディジタルコンテンツの選択を入力する入力手段、前記入力手段で入力した選択に係るディジタルコンテンツを取得するコンテンツ取得手段、前記コンテンツ取得手段で取得したディジタルコンテンツの出力レイアウトを決定して前記ディジタルコンテンツを作成するコンテンツ作成手段、前記コンテンツ作成手段で作成したディジタルコンテンツの出力形式を前記指定配信先となる出力機器の出力形式に変換する出力形式変換手段、及び前記出力形式変換手段で変換したディジタルコンテンツを前記指定配信先となる出力機器に配信するコンテンツ配信手段として実現される処理をコンピュータに実行させるためのプログラムであり、
前記コンテンツ作成手段は、前記ディジタルコンテンツを構成する掲載情報を所定の領域区分でレイアウト領域に配置することにより出力レイアウトを決定するようになっていることを特徴とするディジタルコンテンツ配信プログラム。
【請求項２３】
請求項２１及び２２のいずれかにおいて、
前記出力機器は、ファクシミリ受信機であり、
前記出力形式変換手段は、前記コンテンツ作成手段で作成したディジタルコンテンツの出力形式をファクシミリ受信可能な形式に変換するようになっていることを特徴とするディジタルコンテンツ配信プログラム。
【請求項２４】
請求項２１及び２２のいずれかにおいて、
前記出力機器は、ネットワークプリンタであり、
前記出力形式変換手段は、前記コンテンツ作成手段で作成したディジタルコンテンツの出力形式をネットワークプリンタ受信可能な形式に変換するようになっていることを特徴とするディジタルコンテンツ配信プログラム。
【請求項２５】
コンピュータからなる請求項１８記載のコンテンツ配信端末に実行させるためのプログラムであって、
与えられたディジタルコンテンツの選択に係るディジタルコンテンツを取得するコンテンツ取得手段、前記コンテンツ取得手段で取得したディジタルコンテンツの出力レイアウトを決定して前記ディジタルコンテンツを作成するコンテンツ作成手段、前記コンテンツ作成手段で作成したディジタルコンテンツの出力形式を前記指定配信先となる出力機器の出力形式に変換する出力形式変換手段、及び前記出力形式変換手段で変換したディジタルコンテンツを前記指定配信先となる出力機器に配信するコンテンツ配信手段として実現される処理、並びに前記ディジタルコンテンツの選択結果を受信したときは、受信したディジタルコンテンツの選択結果を前記コンテンツ取得手段に与える処理を実行させるためのプログラムであり、
前記コンテンツ作成手段は、前記ディジタルコンテンツを構成する掲載情報を所定の領域区分でレイアウト領域に配置することにより出力レイアウトを決定するようになっていることを特徴とするコンテンツ配信端末用プログラム。
【請求項２６】
コンピュータからなる請求項１９記載の出力機器に実行させるためのプログラムであって、
前記ディジタルコンテンツの選択を入力する入力手段、及び前記ディジタルコンテンツを出力する出力手段として実現される処理、並びに前記入力手段で入力したディジタルコンテンツの選択結果を前記コンテンツ配信端末に送信し、前記ディジタルコンテンツを受信したときは、受信したディジタルコンテンツを前記出力手段に出力する処理を実行させるためのプログラムであることを特徴とする出力機器用プログラム。
【請求項２７】
ディジタルコンテンツを提供する方法であって、
選択されたディジタルコンテンツの出力レイアウトを決定して前記ディジタルコンテンツを作成するコンテンツ作成ステップと、前記コンテンツ作成ステップで作成したディジタルコンテンツの出力形式をその提供の目的となる出力機器の出力形式に変換する出力形式変換ステップと、前記出力形式変換ステップで変換したディジタルコンテンツを提供するコンテンツ提供ステップとを含み、
前記コンテンツ作成ステップは、前記ディジタルコンテンツを構成する掲載情報を所定の領域区分でレイアウト領域に配置することにより出力レイアウトを決定するようになっていることを特徴とするディジタルコンテンツ提供方法。
【請求項２８】
指定された配信先にディジタルコンテンツを配信する方法であって、
前記ディジタルコンテンツを記憶するためのコンテンツ記憶手段のなかから前記ディジタルコンテンツを選択するコンテンツ選択ステップと、前記コンテンツ選択ステップで選択したディジタルコンテンツの出力レイアウトを決定して前記ディジタルコンテンツを作成するコンテンツ作成ステップと、前記コンテンツ作成ステップで作成したディジタルコンテンツの出力形式を前記指定配信先となる出力機器の出力形式に変換する出力形式変換ステップと、前記出力形式変換ステップで変換したディジタルコンテンツを前記指定配信先となる出力機器に配信するコンテンツ配信ステップとを含み、
前記コンテンツ作成ステップは、前記ディジタルコンテンツを構成する掲載情報を所定の領域区分でレイアウト領域に配置することにより出力レイアウトを決定することを特徴とするディジタルコンテンツ配信方法。
【請求項２９】
指定された配信先にディジタルコンテンツを配信する方法であって、
前記ディジタルコンテンツの選択を入力する入力ステップと、前記入力ステップで入力した選択に係るディジタルコンテンツを取得するコンテンツ取得ステップと、前記コンテンツ取得ステップで取得したディジタルコンテンツの出力レイアウトを決定して前記ディジタルコンテンツを作成するコンテンツ作成ステップと、前記コンテンツ作成ステップで作成したディジタルコンテンツの出力形式を前記指定配信先となる出力機器の出力形式に変換する出力形式変換ステップと、前記出力形式変換ステップで変換したディジタルコンテンツを前記指定配信先となる出力機器に配信するコンテンツ配信ステップとを含み、
前記コンテンツ作成ステップは、前記ディジタルコンテンツを構成する掲載情報を所定の領域区分でレイアウト領域に配置することにより出力レイアウトを決定することを特徴とするディジタルコンテンツ配信方法。
【請求項３０】
請求項２８及び２９のいずれかにおいて、
前記出力機器は、ファクシミリ受信機であり、
前記出力形式変換ステップは、前記コンテンツ作成ステップで作成したディジタルコンテンツの出力形式をファクシミリ受信可能な形式に変換することを特徴とするディジタルコンテンツ配信方法。
【請求項３１】
請求項２８及び２９のいずれかにおいて、
前記出力機器は、ネットワークプリンタであり、
前記出力形式変換ステップは、前記コンテンツ作成ステップで作成したディジタルコンテンツの出力形式をネットワークプリンタ受信可能な形式に変換することを特徴とするディジタルコンテンツ配信方法。
【請求項３２】
ディジタルコンテンツを配信するコンテンツ配信端末と、出力機器とを通信可能に接続し、指定された配信先に前記ディジタルコンテンツを配信する方法であって、
前記ディジタルコンテンツの選択を入力する入力ステップと、前記入力ステップで入力したディジタルコンテンツの選択結果を前記コンテンツ配信端末に送信する選択結果送信ステップとを、前記出力機器で行い、
前記ディジタルコンテンツの選択結果を受信する選択結果受信ステップと、前記選択結果受信ステップで受信したディジタルコンテンツの選択に係るディジタルコンテンツを取得するコンテンツ取得ステップと、前記コンテンツ取得ステップで取得したディジタルコンテンツの出力レイアウトを決定して前記ディジタルコンテンツを作成するコンテンツ作成ステップと、前記コンテンツ作成ステップで作成したディジタルコンテンツの出力形式を前記指定配信先となる出力機器の出力形式に変換する出力形式変換ステップと、前記出力形式変換ステップで変換したディジタルコンテンツを前記指定配信先となる出力機器に配信するコンテンツ配信ステップとを、前記コンテンツ配信端末で行い、
前記ディジタルコンテンツを受信するコンテンツ受信ステップと、前記コンテンツ受信ステップで受信したディジタルコンテンツを出力するコンテンツ出力ステップとを、前記出力機器で行い、
前記コンテンツ作成ステップは、前記ディジタルコンテンツを構成する掲載情報を所定の領域区分でレイアウト領域に配置することにより出力レイアウトを決定することを特徴とするディジタルコンテンツ配信方法。
【請求項３３】
請求項１８記載のコンテンツ配信端末で前記ディジタルコンテンツを配信する方法であって、
前記ディジタルコンテンツの選択結果を受信する選択結果受信ステップと、前記選択結果受信ステップで受信したディジタルコンテンツの選択に係るディジタルコンテンツを取得するコンテンツ取得ステップと、前記コンテンツ取得ステップで取得したディジタルコンテンツの出力レイアウトを決定して前記ディジタルコンテンツを作成するコンテンツ作成ステップと、前記コンテンツ作成ステップで作成したディジタルコンテンツの出力形式を前記指定配信先となる出力機器の出力形式に変換する出力形式変換ステップと、前記出力形式変換ステップで変換したディジタルコンテンツを前記指定配信先となる出力機器に配信するコンテンツ配信ステップとを含み、
前記コンテンツ作成ステップは、前記ディジタルコンテンツを構成する掲載情報を所定の領域区分でレイアウト領域に配置することにより出力レイアウトを決定することを特徴とするディジタルコンテンツ配信方法。
【請求項３４】
請求項１９記載の出力機器で前記ディジタルコンテンツを出力する方法であって、
前記ディジタルコンテンツの選択を入力する入力ステップと、前記入力ステップで入力したディジタルコンテンツの選択結果を前記コンテンツ配信端末に送信する選択結果送信ステップと、前記ディジタルコンテンツを受信するコンテンツ受信ステップと、前記コンテンツ受信ステップで受信したディジタルコンテンツを出力するコンテンツ出力ステップとを含むことを特徴とするコンテンツ出力方法。
【請求項３５】
ディジタルコンテンツを提供するコンテンツ配信端末であって、
選択されたディジタルコンテンツの出力レイアウトを決定して前記ディジタルコンテンツを作成するコンテンツ作成手段と、前記コンテンツ作成手段で作成したディジタルコンテンツの出力形式をその提供の目的となる出力機器の出力形式に変換する出力形式変換手段と、前記出力形式変換手段で変換したディジタルコンテンツを提供するコンテンツ提供手段とを備え、
前記コンテンツ作成手段は、前記ディジタルコンテンツを構成する掲載情報を所定の領域区分でレイアウト領域に配置することにより出力レイアウトを決定するようになっていることを特徴とするコンテンツ配信端末。
【請求項３６】
指定された配信先にディジタルコンテンツを配信するコンテンツ配信端末であって、
前記ディジタルコンテンツを記憶するためのコンテンツ記憶手段と、前記コンテンツ記憶手段のなかから前記ディジタルコンテンツを選択するコンテンツ選択手段と、前記コンテンツ選択手段で選択したディジタルコンテンツの出力レイアウトを決定して前記ディジタルコンテンツを作成するコンテンツ作成手段と、前記コンテンツ作成手段で作成したディジタルコンテンツの出力形式を前記指定配信先となる出力機器の出力形式に変換する出力形式変換手段と、前記出力形式変換手段で変換したディジタルコンテンツを前記指定配信先となる出力機器に配信するコンテンツ配信手段とを備え、
前記コンテンツ作成手段は、前記ディジタルコンテンツを構成する掲載情報を所定の領域区分でレイアウト領域に配置することにより出力レイアウトを決定するようになっていることを特徴とするコンテンツ配信端末。
【請求項３７】
指定された配信先にディジタルコンテンツを配信するコンテンツ配信端末であって、
前記ディジタルコンテンツの選択を入力する入力手段と、前記入力手段で入力した選択に係るディジタルコンテンツを取得するコンテンツ取得手段と、前記コンテンツ取得手段で取得したディジタルコンテンツの出力レイアウトを決定して前記ディジタルコンテンツを作成するコンテンツ作成手段と、前記コンテンツ作成手段で作成したディジタルコンテンツの出力形式を前記指定配信先となる出力機器の出力形式に変換する出力形式変換手段と、前記出力形式変換手段で変換したディジタルコンテンツを前記指定配信先となる出力機器に配信するコンテンツ配信手段とを備え、
前記コンテンツ作成手段は、前記ディジタルコンテンツを構成する掲載情報を所定の領域区分でレイアウト領域に配置することにより出力レイアウトを決定するようになっていることを特徴とするコンテンツ配信端末。
【手続補正２】
【補正対象書類名】明細書
【補正対象項目名】００１３
【補正方法】変更
【補正の内容】
【００１３】
ここで、ディジタルコンテンツの提供とは、ディジタルコンテンツをユーザが取得可能な状態におくことをいい、ディジタルコンテンツの提供は、例えば、ユーザに配信することにより行ってもよいし、ユーザがユーザ端末からアクセスして取得できるように、ユーザ端末が通信可能な端末の記憶手段に格納することにより行ってもよい。以下、請求項２０記載のディジタルコンテンツ提供プログラム、請求項２７記載のディジタルコンテンツ提供方法、および請求項３５記載のコンテンツ配信端末において同じである。
【手続補正３】
【補正対象書類名】明細書
【補正対象項目名】００１４
【補正方法】変更
【補正の内容】
【００１４】
また、コンテンツ記憶手段は、ディジタルコンテンツをあらゆる手段でかつあらゆる時期に記憶するものであり、ディジタルコンテンツをあらかじめ記憶してあるものであってもよいし、ディジタルコンテンツをあらかじめ記憶することなく、本システムの動作時に外部からの入力等によってディジタルコンテンツを記憶するようになっていてもよい。以下、請求項２記載のディジタルコンテンツ配信システム、並びに請求項３５および３６記載のコンテンツ配信端末において同じである。
【手続補正４】
【補正対象書類名】明細書
【補正対象項目名】００１６
【補正方法】変更
【補正の内容】
【００１６】
また、出力レイアウトには、ディジタルコンテンツを画面上に表示する場合の表示レイアウト、またはディジタルコンテンツを紙面上に印刷する場合の印刷レイアウトが含まれる。以下、請求項２、３および１７記載のディジタルコンテンツ配信システム、請求項１８記載のコンテンツ配信端末、請求項２０記載のディジタルコンテンツ提供プログラム、請求項２１および２２記載のディジタルコンテンツ配信プログラム、請求項２５記載のコンテンツ配信端末用プログラム、請求項２６記載の出力機器用プログラム、請求項２７記載のディジタルコンテンツ提供方法、請求項２８、２９、３２および３３記載のディジタルコンテンツ配信方法、並びに請求項３５ないし３７記載のコンテンツ配信端末において同じである。
【手続補正５】
【補正対象書類名】明細書
【補正対象項目名】００５７
【補正方法】変更
【補正の内容】
【００５７】
一方、上記目的を達成するために、本発明に係る請求項３４記載のコンテンツ出力方法は、請求項１９記載の出力機器で前記ディジタルコンテンツを出力する方法であって、前記ディジタルコンテンツの選択を入力する入力ステップと、前記入力ステップで入力したディジタルコンテンツの選択結果を前記コンテンツ配信端末に送信する選択結果送信ステップと、前記ディジタルコンテンツを受信するコンテンツ受信ステップと、前記コンテンツ受信ステップで受信したディジタルコンテンツを出力するコンテンツ出力ステップとを含む。
一方、上記目的を達成するために、本発明に係る請求項３５記載のコンテンツ配信端末は、ディジタルコンテンツを提供するシステムであって、選択されたディジタルコンテンツの出力レイアウトを決定して前記ディジタルコンテンツを作成するコンテンツ作成手段と、前記コンテンツ作成手段で作成したディジタルコンテンツの出力形式をその提供の目的となる出力機器の出力形式に変換する出力形式変換手段と、前記出力形式変換手段で変換したディジタルコンテンツを提供するコンテンツ提供手段とを備え、前記コンテンツ作成手段は、前記ディジタルコンテンツを構成する掲載情報を所定の領域区分でレイアウト領域に配置することにより出力レイアウトを決定するようになっている。
このような構成であれば、請求項１記載のディジタルコンテンツ提供システムと同等の作用が得られる。
さらに、本発明に係る請求項３６記載のコンテンツ配信端末は、指定された配信先にディジタルコンテンツを配信するシステムであって、前記ディジタルコンテンツを記憶するためのコンテンツ記憶手段と、前記コンテンツ記憶手段のなかから前記ディジタルコンテンツを選択するコンテンツ選択手段と、前記コンテンツ選択手段で選択したディジタルコンテンツの出力レイアウトを決定して前記ディジタルコンテンツを作成するコンテンツ作成手段と、前記コンテンツ作成手段で作成したディジタルコンテンツの出力形式を前記指定配信先となる出力機器の出力形式に変換する出力形式変換手段と、前記出力形式変換手段で変換したディジタルコンテンツを前記指定配信先となる出力機器に配信するコンテンツ配信手段とを備え、前記コンテンツ作成手段は、前記ディジタルコンテンツを構成する掲載情報を所定の領域区分でレイアウト領域に配置することにより出力レイアウトを決定するようになっている。
このような構成であれば、請求項２記載のディジタルコンテンツ配信システムと同等の作用が得られる。
さらに、本発明に係る請求項３７記載のコンテンツ配信端末は、指定された配信先にディジタルコンテンツを配信するシステムであって、前記ディジタルコンテンツの選択を入力する入力手段と、前記入力手段で入力した選択に係るディジタルコンテンツを取得するコンテンツ取得手段と、前記コンテンツ取得手段で取得したディジタルコンテンツの出力レイアウトを決定して前記ディジタルコンテンツを作成するコンテンツ作成手段と、前記コンテンツ作成手段で作成したディジタルコンテンツの出力形式を前記指定配信先となる出力機器の出力形式に変換する出力形式変換手段と、前記出力形式変換手段で変換したディジタルコンテンツを前記指定配信先となる出力機器に配信するコンテンツ配信手段とを備え、前記コンテンツ作成手段は、前記ディジタルコンテンツを構成する掲載情報を所定の領域区分でレイアウト領域に配置することにより出力レイアウトを決定するようになっている。
このような構成であれば、請求項３記載のディジタルコンテンツ配信システムと同等の作用が得られる。
【手続補正６】
【補正対象書類名】明細書
【補正対象項目名】００６０
【補正方法】変更
【補正の内容】
【００６０】
まず、本発明を適用するネットワークシステムの構成を図１を参照しながら説明する。図１は、本発明を適用するネットワークシステムの構成を示すブロック図である。
インターネット１９９には、図１に示すように、ディジタルコンテンツをＷｅｂページとして登録する複数のＷＷＷサーバ１２０（図１では、そのうち３台のみを示している。）と、ＷＷＷサーバ１２０からディジタルコンテンツを取得して配信するコンテンツ配信端末１００と、携帯端末２００とインターネット１９９との通信を中継する中継局２２０とが接続されている。なお、発明の理解を容易にするため、携帯端末２００を一台しか図示していないが、実際には、複数の携帯端末がインターネット１９９に接続されている。
【手続補正７】
【補正対象書類名】明細書
【補正対象項目名】０１２３
【補正方法】変更
【補正の内容】
【０１２３】
これにより、ユーザは、利用する可能性の高いファクシミリ受信機１４０のＦＡＸ番号をあらかじめ登録しておけば、ディジタルコンテンツの配信を受けるときに配信先ＦＡＸ番号の入力を省略することができるので、手間が少なくなり使い勝手が向上する。
上記実施の形態において、文字情報および画像情報は、請求項１、３、２０、２２、２７、２９、３５または３７記載の掲載情報に対応し、フィールド３０８の登録情報は、請求項１０記載の出力機器情報に対応し、ファクシミリ受信機１４０は、請求項１、３、４、１０、２０、２２、２３、２７、２９、３０、３５または３７記載の出力機器に対応している。また、ユーザ情報登録ＤＢ４０は、請求項１０記載の出力機器情報記憶手段、または請求項１４記載のユーザ情報記憶手段に対応し、ステップＳ２０８は、請求項３若しくは２２記載の入力手段、または請求項２９記載の入力ステップに対応し、ステップＳ２１６は、請求項３若しくは２２記載のコンテンツ取得手段、または請求項２９記載のコンテンツ取得ステップに対応している。
【手続補正８】
【補正対象書類名】明細書
【補正対象項目名】０１２４
【補正方法】変更
【補正の内容】
【０１２４】
また、上記実施の形態において、ステップＳ２２２，Ｓ２２６，Ｓ２３０は、請求項１、３ないし６、１０、１４、２０、２２、２３、３５若しくは３７記載のコンテンツ作成手段、または請求項２７、２９若しくは３０記載のコンテンツ作成ステップに対応し、ステップＳ２３２，Ｓ３００〜Ｓ３１４は、請求項１、３ないし６、１０、２０、２２、２３、３５若しくは３７記載の出力形式変換手段、または請求項２７、２９若しくは３０記載の出力形式変換ステップに対応している。また、ステップＳ２３４は、請求項１、２０若しくは３５記載のコンテンツ提供手段、請求項２７記載のコンテンツ提供ステップ、請求項３、２２若しくは３７記載のコンテンツ配信手段、または請求項２９記載のコンテンツ配信ステップに対応している。
【手続補正９】
【補正対象書類名】明細書
【補正対象項目名】０１２６
【補正方法】変更
【補正の内容】
【０１２６】
これにより、上記実施の形態の効果に加え、ディジタルコンテンツの選択に関してユーザの固有情報やユーザによる指定情報が参照されることから、ユーザの希望に比較的沿った内容のディジタルコンテンツを提供することができる。
この場合において、文字情報および画像情報は、請求項１、２、２０、２１、２７、２８、３５または３６記載の掲載情報に対応し、ファクシミリ受信機１４０は、請求項１、２、２０、２１、２７、２８、３５または３６記載の出力機器に対応し、コンテンツ登録ＤＢは、請求項２、１３、２１、２８または３６記載のコンテンツ記憶手段に対応している。また、ユーザ情報登録ＤＢ４０は、請求項１３記載のユーザ情報記憶手段に対応し、ステップＳ２２２，Ｓ２２６，Ｓ２３０は、請求項１、２、２０、２１、３５若しくは３６記載のコンテンツ作成手段、または請求項２７若しくは２８記載のコンテンツ作成ステップに対応している。
【手続補正１０】
【補正対象書類名】明細書
【補正対象項目名】０１２７
【補正方法】変更
【補正の内容】
【０１２７】
また、ステップＳ２３２，Ｓ３００〜Ｓ３１４は、請求項１、２、２０、２１、３５若しくは３６記載の出力形式変換手段、または請求項２７若しくは２８記載の出力形式変換ステップに対応し、ステップＳ２３４は、請求項１、２０若しくは３５記載のコンテンツ提供手段、請求項２７記載のコンテンツ提供ステップ、請求項２、２１若しくは３６記載のコンテンツ配信手段、または請求項２８記載のコンテンツ配信ステップに対応している。
【手続補正１１】
【補正対象書類名】明細書
【補正対象項目名】０１６６
【補正方法】変更
【補正の内容】
【０１６６】
一方、本発明に係る請求項３４記載のコンテンツ出力方法によれば、請求項１９記載の出力機器と同等の効果が得られる。
一方、本発明に係る請求項３５記載のコンテンツ配信端末によれば、請求項１記載のディジタルコンテンツ提供システムと同等の効果が得られる。
さらに、本発明に係る請求項３６記載のコンテンツ配信端末によれば、請求項２記載のディジタルコンテンツ配信システムと同等の効果が得られる。
さらに、本発明に係る請求項３７記載のコンテンツ配信端末によれば、請求項３記載のディジタルコンテンツ配信システムと同等の効果が得られる。